(57)【要約】【課題】  スクロール圧縮機構に十分な潤滑を行うとともに圧縮効率の低下を阻止し得るスクロール圧縮機を提供することを目的とする。【解決手段】  相互にかみ合う固定スクロール９と旋回スクロール１０とを備えたスクロール圧縮機構４と、旋回スクロール１０の背部を支持するとともに、旋回スクロール１０を駆動する駆動軸６を回転自在に支持するハウジング２に固定された上部軸受３と、旋回スクロール１０と上部軸受３との間に形成され、吐出されるガスと同等の高圧が維持される背圧室２５と、背圧室２５へ潤滑油を供給する油供給手段３０と、を具備したスクロール圧縮機１において、上部軸受３の下端面２７に油流路を有する絞り部３１と、絞り部３１と背圧室２５とを連通する高圧流路部３４と、絞り部３１と吸引室１６とを連通する低圧流路部３５と、を有する油供給手段３０を設けたことを特徴とする。【選択図】      図１
2005291051.tif 000002
【特許請求の範囲】
【請求項１】
密閉されたハウジング内に固定支持された固定スクロール、および該固定スクロールとかみ合わされ、複数の圧縮室を形成して公転旋回運動を行う旋回スクロールを備えた圧縮機構と、
該旋回スクロールの背部を支持するとともに、該旋回スクロールを駆動する駆動軸を回転自在に支持するように前記ハウジングに固定された主軸受と、
前記旋回スクロールと前記主軸受との間に形成され、吐出されるガスと同等の高圧が維持される背圧室と、
前記背圧室へ潤滑油を供給する油供給手段と、を具備したスクロール圧縮機において、
前記旋回スクロールに対して反対側に位置する前記主軸受の端面側に油流路を有する絞り部と、
該絞り部と前記背圧室とを連通する高圧流路部と、
前記絞り部と前記圧縮機構の低圧側とを連通する低圧流路部と、を有する油供給手段を設けたことを特徴とするスクロール圧縮機。
【請求項２】
前記高圧流路部の背圧室への連通位置は、前記背圧室から潤滑油供給源へ潤滑油を戻す油抜き部よりも下方に配置されていることを特徴とする請求項１に記載されたスクロール圧縮機。
【請求項３】
前記絞り部は、油流路形状を打抜き加工された板状の流路部材と、該流路部材を前記主軸受の端面にその背後から取り付ける板状の取付部材と、を備えていることを特徴とする請求項１または２に記載されたスクロール圧縮機。
【請求項４】
前記流路部材は、打抜き加工された前記油流路形状の周囲に前記油流路形状に沿った凸部をエンボス加工されていることを特徴とする請求項３に記載されたスクロール圧縮機。
【請求項５】
前記油流路は、隣合う油流路で潤滑油の流れ方向が反対方向となる折返し部が設けられていることを特徴とする請求項１ないし４のいずれかに記載されたスクロール圧縮機。
【請求項６】
前記絞り部は、前記流路部材と、前記取付部材とを複数積み重ねて構成されることを特徴とする請求項３ないし５のいずれかに記載されたスクロール圧縮機。
【請求項７】
前記油流路を構成する前記取付部材の前記流路部材側の面に、凹所を形成してなることを特徴とする請求項３ないし６のいずれかに記載されたスクロール圧縮機。
【発明の詳細な説明】
【技術分野】
【０００１】
本発明は、たとえば空気調和装置等の冷媒圧縮機などに使用されているスクロール圧縮機に関するものである。
【背景技術】
【０００２】
空気調和装置の冷媒圧縮機などに使用されているスクロール圧縮機は、固定スクロール、旋回スクロール及び自転を阻止するオルダムリンク機構を具備している。このスクロール圧縮機において、一方の固定スクロールは、吸入管及び吐出管を接続したハウジング内に固定支持された不動のスクロールである。他方の旋回スクロールは、固定スクロールと上下または左右方向に噛み合わされた状態で配置され、オルダムリンク機構により自転を阻止されると共に、電動モータなどの駆動源と連結されて、固定スクロールに対し公転旋回運動を行うものである。この旋回スクロールは、固定スクロールと複数の接触点で接触して三日月状の圧縮室を形成し、同圧縮室が外周側より容積を減少させながら内側へ移動することにより、吸入・圧縮・吐出を同時に行うことができる。
【０００３】
このスクロール圧縮機において、圧縮効率の向上のため、旋回スクロールの背面から圧力付勢し、旋回スクロールを固定スクロールに押し付けることにより、スクロールのラップ先端からのガス漏れを抑えることが行われている。
このように、固定スクロールと旋回スクロールとは押し付けられた状態で、相互に摺動しているので、焼付き等の不具合が発生するのを防止するために潤滑を行う必要がある。
この部分に潤滑油を供給するものとして、特許文献１に記載されたものが提案されている。これは、旋回スクロールに固定スクロールへの押圧力を与える高圧の背圧室を潤滑油の供給源として、旋回スクロールの内部に設けられた長孔を経由して絞り部を通って減圧された後、旋回スクロールと固定スクロールとで形成される低圧の吸入室へ供給される。
【０００４】
【特許文献１】特開２００２−１６８１８３号公報（段落［００１１］〜［００２７］，及び図１〜図５）
【発明の開示】
【発明が解決しようとする課題】
【０００５】
ところで、特許文献１に示すものは絞り部が、旋回スクロールの端板の厚みよりも小さい直径を持つ円筒部材に螺旋状の流路を形成したものであるので、流路長さを十分長くできない。このため、ゴミ等による詰りを考慮して流路断面を大きくすると十分な絞りが得られず、必要以上の潤滑油が吸入室へ供給される。供給される潤滑油は高温であるので、必要以上の潤滑油が供給されると、吸入ガスが潤滑油によって過熱され、圧縮効率が低下するという問題があった。
また、絞り部は圧入されるので、取付け時に変形して、隣合う流路間で洩れが発生し易く、目的とする流量を得られない。加工精度が求められるため、高コストとなる。
【０００６】
本発明は、上記問題点に鑑み、スクロール圧縮機構に十分な潤滑を行うとともに圧縮効率の低下を阻止し得るスクロール圧縮機を提供することを目的とする。
【課題を解決するための手段】
【０００７】
上記課題を解決するために、本発明は以下の手段を採用する。
すなわち、本発明にかかるスクロール圧縮機では、密閉されたハウジング内に固定支持された固定スクロール、および該固定スクロールとかみ合わされ、複数の圧縮室を形成して公転旋回運動を行う旋回スクロールを備えた圧縮機構と、該旋回スクロールの背部を支持するとともに、該旋回スクロールを駆動する駆動軸を回転自在に支持するように前記ハウジングに固定された主軸受と、前記旋回スクロールと前記主軸受との間に形成され、吐出されるガスと同等の高圧が維持される背圧室と、前記背圧室へ潤滑油を供給する油供給手段と、を具備したスクロール圧縮機において、前記旋回スクロールに対して反対側に位置する前記主軸受の端面側に油流路を有する絞り部と、該絞り部と前記背圧室とを連通する高圧流路部と、前記絞り部と前記圧縮機構の低圧側とを連通する低圧流路部と、を有する油供給手段を設けたことを特徴とする。
【０００８】
旋回スクロールに対して反対側に位置する主軸受の端面は、面積が大きく、駆動軸が存在する部分以外の広い範囲が利用できる。この広い面積を活用して絞り部を形成し、背圧室から高圧流路部、絞り部、および低圧流路部を経由して圧縮機構の低圧側へ潤滑油を供給するように構成した。これにより、油流路は流路長さを長くできるので、絞り部での絞りを大きくできる。このため、必要十分な量の潤滑油を低圧側へ供給でき、吸入ガスの過熱によるスクロール圧縮機の圧縮効率の低下を防止することができる。
また、従来と同じ絞りを得るのであれば、流路長さが長い分だけ油流路を太くできるので、ゴミ等による油流路の詰りを防止でき、圧縮機構の低圧側での潤滑を確実に行うことができる。
なお、絞り部は、主軸受の端面に直接油流路を形成して、その外側から蓋をして設けてもよいし、端面と蓋とに溝を加工して両者を合わせて形成してもよい。また、油流路を形成した部材を主軸受の端面に取り付けて絞り部を形成してもよい。
【０００９】
また、本発明にかかるスクロール圧縮機では、前記高圧流路部の背圧室への連通位置は、前記背圧室から潤滑油供給源へ潤滑油を戻す油抜き部よりも下方に配置されていることを特徴とする。
【００１０】
このように、高圧流路部の背圧室への連通位置は、背圧室から潤滑油供給源へ潤滑油を戻す油抜き部よりも下方に配置されているので、背圧室に溜まる潤滑油が油抜き部から回収される前に、潤滑油は高圧流路部から絞り部へ供給できる。したがって、潤滑油は低圧流路部を経由して圧縮機構の低圧側へ確実に供給できるので、低圧側の潤滑を確実に行うことができる。
【００１１】
さらに、本発明にかかるスクロール圧縮機では、前記絞り部は、油流路形状を打抜き加工された板状の流路部材と、該流路部材を前記主軸受の端面にその背後から取り付ける板状の取付部材と、を備えていることを特徴とする。
【００１２】
油流路形状を打抜き加工された板状の流路部材は、主軸受の端面と板状の取付部材とで挟み込まれることになる。つまり、主軸受の端面に流路部材を取付部材によって取り付けることで、主軸受の端面、取付部材、および流路部材の打抜き部分により油流路が形成されることになる。したがって、絞り部の製造が容易となり、安価に製造できる。
なお、油流路からの油洩れ防止の観点から、流路部材は厚さ方向の少なくとも一部が弾性を有した材料で形成されているのが好ましい。
【００１３】
また、本発明にかかるスクロール圧縮機では、前記流路部材は、打抜き加工された前記油流路形状の周囲に前記油流路形状に沿った凸部をエンボス加工されていることを特徴とする。
【００１４】
このように、流路部材は、打抜き加工された前記油流路形状の周囲に前記油流路形状に沿った凸部をエンボス加工されているので、取付部材で主軸受に取り付ける際、この凸部が変形して油流路を確実にシールすることができる。したがって、油流路が近接して配置されていても供給される潤滑油が相互にリークして油流路が短縮されることを防止できる。例えば、油流路への流入部と油流路からの流出部とが近接して配置された場合に、潤滑油が短絡して流入部から流出部へ直接流れると、絞りがほとんどなくなるため過剰な潤滑油が低圧側へ供給されて圧縮効率が低下するが、このような事態を確実に防止できる。
【００１５】
さらに、本発明にかかるスクロール圧縮機では、前記油流路は、隣合う油流路で潤滑油の流れ方向が反対方向となる折返し部が設けられていることを特徴とする。
【００１６】
このように、油流路は、隣合う油流路で潤滑油の流れ方向が反対方向となる折返し部が設けられているので、油流路を長くすることができ、絞りをより大きくできる。
また、油流路における潤滑油の流れ方向は種々存在することになるので、停止時に潤滑油の供給が止まった場合でも、油流路で潤滑油をより保持できる。停止時に潤滑油が保持されているので、再起動時に潤滑油がすぐ圧縮機の低圧側に供給できる。したがって、起動直後においても、圧縮機構における低圧部の潤滑は確実に行うことができる。
【００１７】
また、本発明にかかるスクロール圧縮機では、前記絞り部は、前記流路部材と、前記取付部材とを複数積み重ねて構成されることを特徴とする。
【００１８】
このように、絞り部は、流路部材と、取付部材とを複数積み重ねて構成されるので、油流路の流路長はより長く形成されることになる。油流路がより長くできると、油流路での絞りをより大きくできるので、過剰な潤滑油供給をよりよく防止できる。また、同じ絞りを得るのであれば、流路長さが長い分だけ、油流路を太くできるので、加工を容易にできるし、ゴミ等による油流路の詰りを防止でき、圧縮機構の低圧側での潤滑を確実に行うことができる。
【００１９】
さらに、本発明にかかるスクロール圧縮機では、前記油流路を構成する前記取付部材の前記流路部材側の面に、凹所を形成してなることを特徴とする。
【００２０】
このように、油流路を構成する前記取付部材の前記流路部材側の面に、凹所を形成しているので、凹所の分だけ油流路の太さは大きくなる。油流路の太さが大きくなると、潤滑油の流れ速度が低下するので、潤滑油に含まれていた磨耗粉等のゴミ等は沈むことで分離される。したがって、下流側へ流れるゴミ等が少なくなるので、油流路の詰りを防止できる。
なお、凹所の深さは流路部材の厚さより大きくするのが好適である。
【発明の効果】
【００２１】
請求項１に記載の発明によれば、旋回スクロールに対して反対側に位置する主軸受の端面の広い面積を活用して絞り部を形成し、背圧室から高圧流路部、絞り部、および低圧流路部を経由して圧縮機構の低圧側へ潤滑油を供給するように構成したので、スクロール圧縮機の圧縮効率の低下を防止することができる。
また、従来と同じ絞りを得るのであれば、流路長さが長い分だけ油流路を太くできるので、ゴミ等による油流路の詰りを防止でき、圧縮機構の低圧側での潤滑を確実に行うことができる。
【００２２】
請求項２に記載の発明によれば、高圧流路部の背圧室への連通位置は、背圧室から潤滑油供給源へ潤滑油を戻す油抜き部よりも下方に配置されているので、圧縮機構の低圧側へ確実に供給でき、低圧側の潤滑を確実に行うことができる。
【００２３】
請求項３に記載の発明によれば、主軸受の端面に流路部材を取付部材によって取り付けられるので、絞り部の製造が容易となり、安価に製造できる。
【００２４】
請求項４に記載の発明によれば、流路部材は、打抜き加工された前記油流路形状の周囲に前記油流路形状に沿った凸部をエンボス加工されているので、油流路が近接して配置されていても供給される潤滑油が相互にリークして油流路が短縮されることを防止できる。例えば、油流路への流入部と油流路からの流出部とが近接して配置された場合に、潤滑油が短絡して流入部から流出部へ直接流れると、絞りがほとんどなくなるため過剰な潤滑油が低圧側へ供給されて圧縮効率が低下するが、このような事態を確実に防止できる。
【００２５】
請求項５に記載の発明によれば、油流路は、隣合う油流路で潤滑油の流れ方向が反対方向となる折返し部が設けられているので、油流路を長くすることができ、絞りをより大きくできる。
また、油流路における潤滑油の流れ方向は種々存在することになるので、起動直後においても、圧縮機構における低圧部の潤滑は確実に行うことができる。
【００２６】
請求項６に記載の発明によれば、絞り部は、流路部材と、取付部材とを複数積み重ねて構成されるので、過剰な潤滑油供給をよりよく防止できる。また、同じ絞りを得るのであれば、流路長さが長い分だけ、油流路を太くできるので、加工が容易にできるし、ゴミ等による油流路の詰りを防止でき、圧縮機構の低圧側での潤滑を確実に行うことができる。
【００２７】
請求項７に記載の発明によれば、油流路を構成する前記取付部材の前記流路部材側の面に、凹所を形成しているので、油流路の詰りを防止できる。
【発明を実施するための最良の形態】
【００２８】
以下に、本発明にかかる実施形態について、図面を参照して説明する。
［第一実施形態］
以下、本発明の第一実施形態について、図１および図２を用いて説明する。
図１は、本発明を適用する空気調和装置の冷媒圧縮機に使用されるスクロール圧縮機の全体構造を示す縦断面図である。
スクロール圧縮機１は、上下に延設された有底筒形状のハウジング２と、ハウジング２内部の上部に上部軸受（主軸受）３で支持されたスクロール圧縮機構４と、スクロール圧縮機構４の下方、すなわちハウジング２内部の下部にハウジング２で支持して配設された駆動手段のモータ５とを備え、モータ５の駆動軸６が、スクロール圧縮機構（圧縮機構）４の下部に連結されている。
ハウジング２の頂部には、吐出管８が貫通して設けられている。また、ハウジング２の頂部外周部には、吸入管７がハウジング２を貫通して後述する吸入室１６に連通するように設けられている。
【００２９】
スクロール圧縮機構４には、上部軸受３に固定された固定スクロール９と、上部軸受３と固定スクロール９との間にスラスト軸受を介して公転旋回運動が可能に支持された旋回スクロール１０と、旋回スクロール１０の外面に設けられ旋回スクロール１０の公転旋回運動を許容しながらその自転を阻止する周知のオルダムリンク機構１１とが備えられている。
【００３０】
固定スクロール９には、固定スクロール端板９ａと、固定スクロール端板９ａの内面に下方に向けて立設された渦巻き状の固定スクロール渦巻体９ｂと、固定スクロール端板９ａの周縁部に形成された円筒状の周壁部９ｃとが備えられている。固定スクロール端板９ａ中心近傍には、吐出通路１２の吐出口を開閉する吐出弁１４および吐出弁１４の動きを規制する吐出弁リテーナ１５が設けられている。
【００３１】
また、吸入管７の下端部に設けられた吸入口は、固定スクロール９と旋回スクロール１０との間に形成される吸入室１６に接続されており、これら吸入口及び吸入室１６により圧縮流体の吸入流路が形成されている。
【００３２】
旋回スクロール１０は、上述した固定スクロール端板９ａに対向状態に配された旋回スクロール端板１０ａと、旋回スクロール端板１０ａの内面に上方に向けて立設されて固定スクロール渦巻体９ｂと噛み合わされた渦巻き状の旋回スクロール渦巻体１０ｂとを備えている。旋回スクロール渦巻体１０ｂの先端面にはチップシールが嵌装されている。旋回スクロール端板１０ａには、その下面に円筒形状のボス１７が軸線を同じくして立設されている。ボス１７の内部には、ブッシュ１８が旋回軸受１９を介して回転可能に嵌装されている。また、ブッシュ１８には、その内部に軸線から偏心した貫通孔１８ａが形成されている。
【００３３】
固定スクロール９と旋回スクロール１０とは、互いに所定の距離だけ偏心した状態で、固定スクロール渦巻体９ｂと旋回スクロール渦巻体１０ｂとの互いの側面が複数個所で線接触するように１８０度の位相差をもって噛み合わされている。また、この状態で、固定スクロール渦巻体９ｂの先端面及び旋回スクロール渦巻体１０ｂのチップシールがそれぞれ旋回スクロール端板１０ａ及び固定スクロール端板９ａの内面に密接して、固定スクロール渦巻体９ｂと旋回スクロール渦巻体１０ｂの中心に対して点対称の位置関係となる複数個所に密閉空間となる圧縮室Ｐが形成される。なお、旋回スクロール１０は、周知のオルダムリンク機構１１によって、上部軸受３及び同上部軸受３に固定された固定スクロール９に対して、自転が阻止された状態で公転旋回運動可能に配されている。
【００３４】
旋回スクロール１０と上部軸受３の間には、ボス１７の回りに背圧室２５が設けられている。背圧室２５は、スクロール圧縮機１の稼動中に、シールリング２４で規制され吐出されるガスと同等の高圧に維持される。そして、この高圧により旋回スクロール１０を固定スクロール９の方向へ押し付けるものである。
また、ブッシュ１８の外周には、一体に回転するバランスウェイト２５が嵌装されている。
【００３５】
前記モータ５の駆動軸６は、上部軸受３及びモータ５の下方に位置する下部軸受２３に軸支され、軸線から所定量偏心された偏心ピン２０が上端に突出状態に設けられている。偏心ピン２０は、ブッシュ１８の貫通孔１８ａに挿入され、ブッシュ１８を回転可能に支持している。
【００３６】
偏心ピン２０及び駆動軸６には、これらを上下に貫通する油通路２１が形成されるとともに、駆動軸６の下端には潤滑油ポンプ機構２６が設けられている。また、ハウジング２の底部には潤滑油２２が貯留されており、潤滑油２２内に駆動軸６下端の潤滑油ポンプ機構２６が配されている。
【００３７】
上部軸受３には、背圧室２５の高さ方向に見て中間部分に連通した油抜き穴（油抜き部）２９が設けられている。油抜き穴２９は、背圧室２５からラジアル方向に延設され、ハウジング２の近傍で下方に曲設され、上部軸受３の下端面２７に開口されている。
潤滑油ポンプ機構２６により油通路２１を通って背圧室２５に供給された潤滑油２２は、油抜き穴２９を通ってハウジング２の下部に回収される。
【００３８】
次に、吸入室１６へ潤滑油２２を供給する油供給手段３０について図２も参照して説明する。
油供給手段３０には、上部軸受３の下端面２７に取り付けられた絞り部３１と、背圧室２５と絞り部３０とを連通する高圧流路部３４と、絞り部３１と吸入室１６とを連通する低圧流路部３５とが備えられている。絞り部３１には、ドーナツ形状をした板材で、面内に油流路形状３６が打抜き加工されたガスケット（流路部材）３２と、ドーナツ形状をした板材で、ガスケット３２を上部軸受３の下面に取り付ける取付部材３３とが備えられている。ガスケット３２の材料には、冷間圧延鋼板（ＳＰＣＣ）の表面にニトリルゴム（ＮＢＲ）をコーティングしたものが採用されている。その他、各種金属の表面にゴムをコーティングしたものやポリテトラフルオロエチレン（ＰＴＦＥ）等が好適である。これらは、いずれも厚さ方向の少なくとも一部が弾性を有している。このため、ガスケット３２は取付部材３３で上部軸受３に取り付けられた時、弾性変形をして取付部材３３と上部軸受３とに密着されるので、ガスケット３３に若干の凹凸があったとしても油流路が明確に区切られて洩れることがない。
【００３９】
高圧流路部３４は、上部軸受３に斜めに傾斜して形成された孔である。高圧流路部３４の一端は背圧室２５の油抜き穴２９の連通位置より低いところに連通されている。そして、他端は、絞り部３１の油流路の入口に連通されている。
低圧流路部３５は、上部軸受３に上下方向に沿って形成された孔である。低圧流路部３５の一端は吸引室１６に連通されており、他端は、絞り部３１の油流路の出口に連通されている。
【００４０】
図２は、絞り部３１の構成を説明する斜視図である。上部軸受３の中心部分の構造は省略している。
上部軸受３の下端面２７には、周上に等間隔に４個のナット部３８ａ，３８ｂ，３８ｃ，３８ｄが設けられている。また、高圧流路部３４の出口部３４Ａと低圧流路部３５の入口部３５Ｂとが開口している。
【００４１】
ガスケット３２には、ナット部３８ａ，３８ｂ，３８ｃ，３８ｄに相当する位置に穴３９ａ，３９ｂ，３９ｃ，３９ｄが打抜かれている。また、ガスケット３２には、油流路形状３６が打抜かれている。油流路形状３６の油流路入口３２Ａは高圧流路部３４の出口部３４Ａと一致し、油流路出口３２Ｂは低圧流路部３５の入口部３５Ｂと一致するように設けられている。
したがって、潤滑油２２は、油流路形状３６にそって、油流路入口３２Ａから油流路出口３２Ｂへ矢印の方向に流れることになる。油流路形状３６には、折返し部３７が設けられている。折返し部３７では、隣合う油流路を流れる潤滑油の流れ方向が反対方向となっている。
【００４２】
取付部材３３には、ナット部３８ａ，３８ｂ，３８ｃ，３８ｄに相当する位置に穴４０ａ，４０ｂ，４０ｃ，４０ｄが打抜かれている。
穴３９ａ，３９ｂ，３９ｃ，３９ｄと穴４０ａ，４０ｂ，４０ｃ，４０ｄとが、ナット部３８ａ，３８ｂ，３８ｃ，３８ｄに一致するように取付部材３３でガスケット３２を挟み、取付部材３３側からボルトで締め付けることで絞り部３１が形成される。油流路形状３６と、上部軸受３の下端面２７と、取付部材３３とで絞り部３１における油流路が形成される。
【００４３】
このように、上部軸受２の下端面２７にガスケット３２を取付部材３３によって取り付けるだけで、上部軸受２の下端面２７、取付部材３３、およびガスケット３２の油流路形状３６により油流路が形成されることになるので、絞り部３１の製造が容易となる。ガスケット３２は打抜き加工で成形でき、安価であるので、スクロール圧縮機も安価に製造できる。
【００４４】
以上説明した、本実施形態にかかるスクロール圧縮機１の動作について説明する。
モータ５により駆動軸６を回転させると、旋回スクロール１０がオルダムリンク機構１１によって自転を阻止されつつ公転旋回運動を行う。そして、吸入管７より冷媒ガスを吸入室１６に導入すると固定スクロール渦巻体９ｂと旋回スクロール渦巻体１０ｂとで形成される圧縮室Ｐが順次移動することにより圧縮が行われる。圧縮された高圧の冷媒ガスは、吐出通路１２を通って、吐出弁１４を開いて吐出される。吐出された高圧の冷媒ガスは吐出管８から空気調和装置の熱交換器に送られる。
このとき、背圧室２５にも高圧の冷媒ガスが導入され、背圧室２５は高圧となる。
【００４５】
スクロール圧縮機１の運転中、ハウジング２の下部に貯留されている潤滑油２２は潤滑油ポンプ機構２６により駆動軸６に設けられた油通路２１を通って上部に供給され、背圧室２５に充満される。この充満された潤滑油は、背圧室２５の高圧を維持して、旋回スクロール１０の背圧室２５に面しているボス１７および旋回スクロール端板１０ａの部分に作用して、旋回スクロール１０を固定スクロール９に押しつける。
また、この潤滑油２２の一部は、旋回軸受１９、ブッシュ２０および偏心ピン１８の部分を潤滑し、さらに上部軸受３の軸支部を潤滑する。そして、これらの部分を潤滑した潤滑油２２は駆動軸６の表面を通ってハウジング２の下部に回収される。
さらに、背圧室２５に溜まる潤滑油２２の一部は、油抜き穴２９を通って上部軸受３の下端面２７からハウジング２の下部に回収される。
回収された潤滑油２２は、潤滑油ポンプ機構２６により背圧室２５に供給される。
このように、潤滑油２２は循環されるので、ポンプは常時実作業を行うことになり、ポンプの損失が生じない。
【００４６】
また、背圧室２５の潤滑油２２の一部は、高圧流路部３４を通って、出口部３４Ａから絞り部３１を構成するガスケット３２の油流路入口３２Ａへ流入する。そして、ガスケット３２に形成された三箇所の折返し部３７を含む長い油流路を図２に示す矢印の方向に流れる。このとき、長い油流路により、絞られ減圧された状態で、油流路出口３２Ｂから低圧流路部３５の入口部３５Ｂへ流入して、吸入室１６へ供給される。吸入室１６へ供給された潤滑油２２は、吸入管７から吸入室１６へ流入される冷媒ガスにより圧縮室Ｐへ運ばれ、固定スクロール９と旋回スクロール１０との係合部分を潤滑する。
なお、潤滑油２２は低圧流路部３５から圧縮室Ｐへ供給されるようにしてもよい。
【００４７】
油流路すなわち油流路形状３６は、広い面積を有する上部軸受３の下端面２７を広い範囲で活用して形成されているので、油流路の流路長さは長くなる。さらに、三箇所の折返し部３７を設けたので、必要以上の潤滑油を低圧側へ供給することがない。このため、高温の潤滑油による吸入ガスの過熱を最小限に抑えることができる。これにより、固定スクロール９と旋回スクロール１０との係合部分の潤滑を良好に行うとともにスクロール圧縮機１の圧縮効率の低下を防止することができる。
【００４８】
また、従来と同じ絞りを得るのであれば、流路長さが長い分だけ、油流路を太くできるので、ゴミ等による油流路の詰りが発生しにくくなる。これにより、吸入室１６への潤滑油２２の供給が確実に維持できるので、固定スクロール９と旋回スクロール１０との係合部分の潤滑を良好に行うことができる。
【００４９】
なお、ゴミ等による油流路の詰りを防止するには、例えば図４に示すように、取付部材３３の油流路形状３７に接する位置に凹所５６を形成する。あるいは、油流路を形成する油流路形状３７の一部に、幅広の拡大部５５を設けてもよい。凹所５６と拡大部５５を合わせて形成してもよい。
このようにすると、上部軸受３の下端面２７、油流路形状３７および取付部材３３とで形成される油流路に太さの太い部分ができるので、油流路を流れる潤滑油２２がこの太さの太い部分に流入すると流速が大幅に低下する。流速が大幅に低下すると、潤滑油２２に含まれている磨耗粉等のゴミ等は、通常の油流路に比べて前方へ運ばれる速度より沈む速度のほうが大きくなるので、下方に沈むことになる。このため、下流へ流れるゴミ等が少なくなるので、下流側の油流路の詰りを防止できる。
この凹所５６は、油流路の上流側に設けるのが好適である。
【００５０】
絞り部３１へ潤滑油２２を供給する高圧流路部３４の背圧室２５との連通位置は、油抜き穴２９より下方に位置しているので、背圧室２５に溜まる潤滑油２２が油抜き穴２９からハウジング２の下部へ回収される前に、絞り部３１の方へ供給できる。これにより、吸入室１６へ供給する潤滑油２２を確実に確保できるので、固定スクロール９と旋回スクロール１０との係合部分の潤滑を安定して行うことができる。
【００５１】
絞り部３１の油流路入口３２Ａと油流路出口３２Ｂとは近接して配置されているので、油流路は円周を略一周している。また、三箇所に折返し部３７を形成している。これらにより、潤滑油２２は、油流路において種々の方向に流れていることになるので、停止時に潤滑油２２の供給が止まった場合でも、油流路で潤滑油２２をより保持できる。このように、停止時に潤滑油２２が十分に保持されているので、再起動時に潤滑油を即座に固定スクロール９と旋回スクロール１０との係合部分に供給できる。したがって、起動直後においても、圧縮機構における低圧部の潤滑は確実に行うことができる。
【００５２】
以下、本実施形態にかかるスクロール圧縮機の作用・効果について説明する。
本実施形態によれば、上部軸受３の下端面２７は、面積が大きくかつ駆動軸６が存在する部分以外の広い範囲が利用できる。この広い面積を活用して絞り部３１を形成し、背圧室２５から高圧流路部３４、絞り部３１、および低圧流路部３５を経由して吸引室１６へ潤滑油２２を供給するように構成した。これにより、油流路は流路長さを長くできるので、絞り部３１での絞りを大きくできる。このため、必要以上の潤滑油を低圧側へ供給することがなく、高温の潤滑油による吸入ガスの過熱を最小限に抑えることができるので、スクロール圧縮機１の圧縮効率の低下を防止することができる。
また、従来と同じ絞りを得るのであれば、流路長さが長い分だけ油流路を太くできるので、ゴミ等による油流路の詰りを防止でき、固定スクロール９と旋回スクロール１０との係合部分の潤滑を確実に行うことができる。
【００５３】
また、本実施形態によれば、高圧流路部３４の背圧室２５への連通位置は、背圧室２５からハウジング２の下部へ潤滑油２２を戻す油抜き穴２９よりも下方に配置されているので、背圧室２５に溜まる潤滑油２２が油抜き穴２９から回収される前に、潤滑油２２は高圧流路部３４から絞り部３１へ供給できる。したがって、潤滑油２２は低圧流路部３５を経由して吸引室１６へ確実に供給できるので、固定スクロール９と旋回スクロール１０との係合部分の潤滑を確実に行うことができる。
【００５４】
さらに、本実施形態によれば、油流路形状３６を打抜き加工されたガスケット３２は、上部軸受３の下端面２７と板状の取付部材３３とで挟み込まれることになる。つまり、上部軸受３の下端面２７にガスケット３２を取付部材３３によって取り付けることで、上部軸受３の下端面２７、取付部材３３、およびガスケット３２の油流路形状３６により油流路が形成されることになる。したがって、絞り部３１の製造が容易となり、安価に製造できる。
【００５５】
また、本実施形態によれば、油流路は、隣合う油流路で潤滑油２２の流れ方向が反対方向となる折返し部３７が設けられているので、油流路を長くすることができ、絞りをより大きくできる。
さらに、油流路における潤滑油２２の流れ方向は種々存在することになるので、停止時に潤滑油２２の供給が止まった場合でも、油流路で潤滑油２２をより保持できる。停止時に潤滑油２２が保持されているので、再起動時に潤滑油２２がすぐ吸引室１６に供給できる。したがって、起動直後においても、固定スクロール９と旋回スクロール１０との係合部分の潤滑を確実に行うことができる。
【００５６】
なお、本実施形態では、ガスケット３２と取付部材３３とを１組で絞り部３１を構成したが、本発明はこれに限定されるものではなく、複数組で構成するようにしてもよい。
例えば、図３に示すように、２組で構成したものについて説明する。
第一ガスケット４１には、上部軸受３のナット部３８ａ，３８ｂ，３８ｃ，３８ｄに相当する位置に穴４３ａ，４３ｂ，４３ｃ，４３ｄが打抜かれている。また、第一ガスケット４１には、油流路形状４２が打抜かれている。油流路形状４２の第一端部４１Ａは高圧流路部３４の出口部３４Ａと一致するように設けられている。低圧流路部３５の入口部３５Ｂと一致する位置に連通孔４１Ｂが設けられている。油流路形状４２の第二端部４１Ｃは開口部４１Ｂの近くに設けられている。
第一取付部材４４には、上部軸受３のナット部３８ａ，３８ｂ，３８ｃ，３８ｄに相当する位置に穴４５ａ，４５ｂ，４５ｃ，４５ｄが打抜かれている。また、低圧流路部３５の入口部３５Ｂと一致する位置に連通孔４４Ｂが設けられている。第一ガスケット４１の第二端部４１Ｃと一致するように連通孔４４Ｃが設けられている。
【００５７】
第二ガスケット４６は、第一ガスケット４１と同じ構造である。したがって、第二ガスケット４６には、第一ガスケット４１と同様な位置に、穴４８ａ，４８ｂ，４８ｃ，４８ｄと、油流路形状４７と、第一端部４６Ａと、第二端部４６Ｃと、連通孔４６Ｂとが打抜かれている。
第二取付部材４９には、上部軸受３のナット部３８ａ，３８ｂ，３８ｃ，３８ｄに相当する位置に穴５０ａ，５０ｂ，５０ｃ，５０ｄが打抜かれている。第二取付部材４９の第二ガスケット４６に対向する面には、第二ガスケット４６の第一端部４６Ａと連通孔４６Ｂを覆うように連通溝５１が設けられている。
そして、図３に示すように、穴４３ａ，４３ｂ，４３ｃ，４３ｄ、穴４５ａ，４５ｂ，４５ｃ，４５ｄ、穴４８ａ，４８ｂ，４８ｃ，４８ｄ、および穴５０ａ，５０ｂ，５０ｃ，５０ｄが、ナット部３８ａ，３８ｂ，３８ｃ，３８ｄに一致するように第一ガスケット４１、第一取付部材４４、第二ガスケット４６および第二取付部材４９の順に積み重ねて第二取付部材４９側からボルトで締め付けることで絞り部３１が形成される。油流路形状４２、上部軸受３の下端面２７および第一取付部材４４並びに流路形状４７、第一取付部材４４および第二取付部材４９で絞り部３１における油流路が形成される。
【００５８】
このように構成された絞り部３１において潤滑油は次のように流れる。すなわち、背圧室２５の潤滑油２２の一部は、高圧流路部３４を通って、その出口部３４Ａから絞り部３１を構成する第一ガスケット４１の第一端部４１Ａへ流入する。そして、第一ガスケット４１で形成された三箇所の折返し部を含む長い油流路を図３に示す矢印の方向に流れ、第二端部４１Ｃから第一取付部材４４の連通孔４４Ｃを通って第二ガスケット４６の第二端部４６Ｃへ流入する。その後、第二ガスケット４６で形成された三箇所の折返し部を含む長い油流路を図３に示す矢印の方向に流れる。第二ガスケット４６の第一端部４６Ａに到った潤滑油２２は、第二取付部材４９の連通溝５１に流入する。連通溝５１に流入した潤滑油２２は、第二ガスケット４６の連通孔４６Ｂ、第一取付部材４４の連通孔４４Ｂおよび第一ガスケット４１の連通孔４１Ｂを通って、低圧流路部３５の入口部３５Ｂへ流入して、吸入室１６へ供給される。
【００５９】
このように、絞り部３１は、第一ガスケット４１で形成される油流路と第二ガスケット４６で形成される油流路とを積み重ねて構成されているので、各油流路はそれぞれ上部軸受３の下端面２７の広い面積を利用できる。このため、それぞれのガスケットに形成される油流路は長くできる。そして、長く形成された油流路を直列に連結して油流路が形成されるので、油流路の長さは図２のものに比べて２倍程度にできる。このように、絞り部３１の油流路が長くできると、油流路での絞りをより大きくできるので、過剰な潤滑油供給はよりよく防止できる。
また、図２に示す絞り部３１と同じ絞りを得るのであれば、油流路を太くできるので、油流路形状４２，４７の加工が容易にできるし、ゴミ等による油流路の詰りをより防止できる。したがって、潤滑油２２は背圧室２５から吸引室１６へ確実に供給されるので、固定スクロール９と旋回スクロール１０との係合部分の潤滑を確実に行うことができる。
さらに、第一ガスケット４１と第二ガスケット４６とは、同じ形状であるので、同じ打抜き型で成形できるので、製造コストを安価とできる。
【００６０】
次に、本実施形態にかかる絞り部３１の別の実施形態について、図５および図６により説明する。
ガスケット３２に打抜かれる油流路形状５７の周囲に凸部５８をエンボス加工して構成されている。凸部５８は、油流路形状５７の端部を構成する油流路入口３２Ａおよび油流路出口３２Ｂの周囲にも設けられている。
凸部５８のエンボス加工は、油流路形状５７を打抜く金型を使って油流路形状５７の加工と同時に加工することができる。
図６に示すように、上部軸受３の下端面２７に、凸部５８側を当てて下側から取付部材３３により押付けるように取り付けると、凸部５８は弾性的あるいは塑性的に変形して、下端面２７に密着される。この凸部５８により形成された油流路５９を通る潤滑油２２は確実にシールされることになる。
したがって、油流路が近接して配置されていても供給される潤滑油が相互にリークして油流路が短縮されることを防止できる。例えば、本実施形態のように、油流路入口３２Ａと油流路出口３２Ｂとが近接して配置されていても、油流路入口３２Ａから潤滑油２２が洩れて油流路出口３２Ｂへ直接流れ込み、絞りがほとんどなくなるため過剰な潤滑油が供給されて圧縮効率が低下するような事態を確実に防止できる。
【００６１】
さらに、本実施形態にかかる絞り部３１の別の実施形態について図７により説明する。
これは、等間隔に設けられていたナット部３８ａ，３８ｂ，３８ｃ，３８ｄのうちナット部３８ｂのみをナット部３８ａに近づけてナット部の配置を不等間隔としたものである。これに合わせて、ガスケット３２の穴３９ｂのみを穴３９ａに、取付部材３３の穴４０ｂのみを穴４０ａに近づけている。
こうすると、例えばガスケット３２を裏返して取り付けようとすると穴３９ａ，３９ｂの位置がナット部３８ａ，３８ｂおよび取付部材３３の穴３９ａ，３９ｂの位置と合わなくなるので、取り付けられないし、ガスケット３２が裏返っていると気づくことができる。したがって、ガスケット３２が裏返って取り付けられることがなくなるので、高圧流路部３４の出口部３４Ａと油流路入口３２Ａと、および低圧流路部３５の入口部３５Ｂと油流路出口３２Ｂとが一致しないで組立てられる事態を防止できる。
なお、ガスケット３２の取付けを間違えないようにするには、ナット部３８ａ，３８ｂ，３８ｃ，３８ｄの配置を不等間隔にする以外に、ガスケット３２の形状を非対称な形状とする、色等で目印をつける等種々な手段が採用できる。
【００６２】
［第二実施形態］
次に、本発明の第二実施形態について、図８を用いて説明する。
本実施形態におけるスクロール圧縮機１は、油供給手段３０の一部の構成が前述した第一実施形態のものと異なる。その他の構成要素については前述した第一実施形態のものと同じであるので、ここではそれら構成要素についての説明は省略する。
なお、前述した第一実施形態と同一の部材には同一の符号を付している。
【００６３】
本実施形態では、上部軸受３の下端面２７における平坦部分の範囲が中心部の方へ広げられている。
そして、油供給手段３０の高圧流路部３４を構成する孔が、上下方向に真直ぐ形成されている。高圧流路部３４の一端は、背圧室２５の下端部に連通し、他端は、絞り部３１の油流路の入口に連通されている。
絞り部３１は、上部軸受３の下端面２７の面積増大に伴い幅が増加しているが、構造は図２に示すものと同じである。第一実施形態において絞り部３１の他の実施形態として説明した図３ないし図７に示す構造は本実施形態においても採用できるものである。
【００６４】
以上説明した、本実施形態にかかるスクロール圧縮機１の動作は、前述の第一実施形態における動作と同じなので重複した説明は省略する。
【００６５】
本実施形態にかかるスクロール圧縮機１の作用・効果については、前述の第一実施形態のスクロール圧縮機の奏する作用・効果に加えて、次の作用・効果を奏する。
高圧流路部３４は、上部軸受３の軸線に沿った方向に開けられた孔であるので、加工が容易であり、製作工数が低減できコストを安価にできる。
また、絞り部３１の面積が拡大したので、油流路をさらに長く形成することができる。
【図面の簡単な説明】
【００６６】
【図１】本発明の第一実施形態のスクロール圧縮機の縦断面図である。
【図２】本発明の第一実施形態の絞り部の構造を示す斜視図である。
【図３】本発明の絞り部の他の実施形態を示す斜視図である。
【図４】本発明の絞り部の他の実施形態を示す部分斜視図である。
【図５】本発明の絞り部の他の実施形態を示す部分斜視図である。
【図６】図５のＸ−Ｘ断面図である。
【図７】本発明の絞り部の他の実施形態を示す斜視図である。
【図８】本発明の第二実施形態のスクロール圧縮機の縦断面図である。
【符号の説明】
【００６７】
１  スクロール圧縮機
２  ハウジング
３  上部軸受
４  スクロール圧縮機構
６  駆動軸
９  固定スクロール
１０  旋回スクロール
２５  背圧室
３０  油供給手段
３１  絞り部
３２  ガスケット
３３  取付部材
３４  高圧流路部
３５  低圧流路部
３６  油流路形状
３７  折返し部
４１  第一ガスケット
４４  第一取付部材
４６  第二ガスケット
４９  第二取付部材
５６  凹所
５８  凸部
Ｐ  圧縮室
【図１】
2005291051.tif 000003
【図２】
2005291051.tif 000004
【図３】
2005291051.tif 000005
【図４】
2005291051.tif 000006
【図５】
2005291051.tif 000007
【図６】
2005291051.tif 000008
【図７】
2005291051.tif 000009
【図８】
2005291051.tif 000010